(57)【要約】【課題】３本以上の光ファイバ心線が並列に配置された間欠テープ心線をスロットロッドに収納した光ケーブルにおいて、間欠テープ心線に含まれる光ファイバ心線の融着作業性を良好に保つと共に、間欠テープ心線の端心がスロットロッドのスロット溝の側壁と干渉しないようにする。【解決手段】本発明に係る光ケーブル１は、３本以上の光ファイバ心線が並列に配列された間欠テープ心線２０を積層して収納したスロットロッド１１と、スロットロッド１１を被覆する外被１４とを備える。そして、間欠テープ心線２０の両端に位置する光ファイバ心線の長さに比べ、他の光ファイバ心線の長さを０.００５％〜０.０５％だけ長くしている。【選択図】図１
2015018053.tif 000002
【特許請求の範囲】
【請求項１】
３本以上の光ファイバ心線が並列に配列された間欠テープ心線を積層して収納したスロットロッドと、該スロットロッドを被覆する外被とを備えた光ケーブルであって、
前記間欠テープ心線の両端に位置する前記光ファイバ心線の長さに比べ、他の前記光ファイバ心線の長さを０.００５％〜０.０５％だけ長くしている、光ケーブル。
【請求項２】
前記スロットロッドはＳＺ状に形成された複数条のスロット溝を有する、請求項１に記載の光ケーブル。
【発明の詳細な説明】
【技術分野】
【０００１】
本発明は、３本以上の光ファイバ心線が並列に配置された間欠テープ心線をスロットロッドに収納した光ケーブルに関する。
【背景技術】
【０００２】
近年の映像配信、ＩＰ（Internet Protocol）電話、データ通信等のブロードバンドサービスの拡大により、光ファイバによる家庭向けのデータ通信サービス（ＦＴＴＨ：Fiber To The Home）の加入者が増加している。このＦＴＴＨでは、幹線光ケーブルからドロップ光ケーブルを用いて加入者宅等に引き落とされる。
【０００３】
このドロップ光ケーブル等の光ケーブルには、多量のデータを高速で伝送するために、また光ケーブルへの収納や作業の簡易化のために、複数本の光ファイバ心線（光ファイバ素線と呼ばれるものも含む）が並列に配置されて接着された光ファイバテープ心線（以下、テープ心線ともいう）が用いられている。テープ心線としては、同じ長さの並列した光ファイバ心線を全長に亘って一括して樹脂で固着したものが用いられている。
【０００４】
しかし、光ファイバを加入者宅等に引き落とすには、複数本の光ファイバ心線が並列に配置された光ファイバテープ心線を、最終的に単心の光ファイバ心線に分離（分岐）する必要がある。これに対応するために、テープ心線として、光ファイバ心線同士が間欠的に接着されたものも用いられている。光ファイバ心線同士の間欠的な接着は、集線密度の向上や曲げによる伝送ロスの低減、単心化をし易くするなどの特徴を持ち、ファイバの高密度実装に優れている。
【０００５】
例えば、特許文献１には、隣り合う光ファイバ心線同士を長手方向に間欠的に連結することにより光ファイバ心線の単心分離を容易にしたテープ心線（以下、間欠テープ心線という）、その間欠テープ心線をスロットロッドに収納した光ケーブル、並びにその間欠テープ心線の製造方法が開示されている。また、特許文献２，３にも、間欠テープ心線の製造方法が開示されている。
なお、特許文献４には、低コストで各光ファイバ心線の線長差を低減するために、テープ被覆部の厚さに特徴をもたせた非間欠型のテープ心線が開示されている。
【先行技術文献】
【特許文献】
【０００６】
【特許文献１】特開２０１１−２３２７３３号公報
【特許文献２】特開２０１３−３５１６号公報
【特許文献３】特開２０１２−２０８３１０号公報
【特許文献４】特開２００５−４３７１９号公報
【発明の概要】
【発明が解決しようとする課題】
【０００７】
しかしながら、特許文献１〜３に記載のような光ケーブルでは、後にスロット溝から間欠テープ心線を取り出すことを考慮して、スロットロッドに対して余長を持たせた状態で間欠テープ心線を収納しておく必要がある。
【０００８】
そのため、特許文献１〜３に記載のような光ケーブルでは、余長のある間欠テープ心線がスロット内で余り、余った間欠テープ心線の光ファイバ心線（ファイバ単心部）がスロット溝の側壁と干渉し、伝送特性が悪化してしまう。特に、間欠テープ心線の端心が他の光ファイバ心線（非端の光ファイバ心線）に比べてスロット溝と干渉し易く、端心の伝送特性が特に悪化し易い。
【０００９】
なお、スロット溝を大きくすれば伝送特性は改善されるが、その分、光ケーブルが太くなってしまうか、或いはスロットロッドにおいてスロット溝を形成し他のスロット溝との区分を行うためのリブ（スロットリブ）の厚みが細くなり光ケーブルの機械強度が低下してしまうため、好ましくない。
【００１０】
本発明は、上述のような実状に鑑みてなされたものであり、その目的は、３本以上の光ファイバ心線が並列に配置された間欠テープ心線をスロットロッドに収納した光ケーブルにおいて、間欠テープ心線に含まれる光ファイバ心線の融着作業性を良好に保つと共に、間欠テープ心線の端心がスロットロッドのスロット溝の側壁と干渉しないようにすることにある。
【課題を解決するための手段】
【００１１】
本発明に係る光ケーブルは、３本以上の光ファイバ心線が並列に配列された間欠テープ心線を積層して収納したスロットロッドと、上記スロットロッドを被覆する外被とを備えた光ケーブルであって、上記間欠テープ心線の両端に位置する上記光ファイバ心線の長さに比べ、他の上記光ファイバ心線の長さを０.００５％〜０.０５％だけ長くしている。
【発明の効果】
【００１２】
本発明によれば、３本以上の光ファイバ心線が並列に配置された間欠テープ心線をスロットロッドに収納した光ケーブルにおいて、間欠テープ心線の両端に位置する光ファイバ心線を他の光ファイバ心線より短くすることで、間欠テープ心線の端心がスロットロッドのスロット溝の側壁と干渉しないようにでき、もって端心も他の光ファイバ心線と同様の伝送特性を確保することができる。また、本発明によれば、光ファイバ心線の長さの差を大きくしすぎていないため、テープ心線に含まれる光ファイバ心線を融着する際の融着作業性が悪化することもない。
【図面の簡単な説明】
【００１３】
【図１】本発明の一実施形態に係る光ケーブルの一構成例を示す断面図である。
【図２Ａ】図１の光ケーブルのスロット溝に収納する間欠テープ心線の一例を示す図である。
【図２Ｂ】図２ＡのＢ−Ｂラインにおける断面図である。
【図２Ｃ】図２ＡのＣ−Ｃラインにおける断面図である。
【図２Ｄ】図２ＡのＤ−Ｄラインにおける断面図である。
【図３Ａ】図１の光ケーブルのスロット溝に収納する間欠テープ心線の他の例を示す図である。
【図３Ｂ】図３ＡのＢ−Ｂラインにおける断面図である。
【図３Ｃ】図３ＡのＣ−Ｃラインにおける断面図である。
【図３Ｄ】図３ＡのＤ−Ｄラインにおける断面図である。
【図４】本発明の一実施形態に係る４心間欠テープ心線が収納された光ケーブルについて、伝送特性及び融着作業性を試験した結果を示す図である。
【図５】本発明の一実施形態に係る８心間欠テープ心線が収納された光ケーブルについて、伝送特性及び融着作業性を試験した結果を示す図である。
【発明を実施するための形態】
【００１４】
［本発明の実施形態の説明］
まず、本発明の実施形態を列記して説明する。
（１）本発明に係る光ケーブルは、３本以上の光ファイバ心線が並列に配列された間欠テープ心線を積層して収納したスロットロッドと、上記スロットロッドを被覆する外被とを備えた光ケーブルであって、上記間欠テープ心線の両端に位置する上記光ファイバ心線の長さに比べ、他の上記光ファイバ心線の長さを０.００５％〜０.０５％だけ長くしている。これにより、間欠テープ心線の端心がスロットロッドのスロット溝の側壁と干渉しないようにでき、もって端心も他の光ファイバ心線と同様の伝送特性を確保することができる。光ファイバ心線の長さの差を大きくしすぎていないため、テープ心線に含まれる光ファイバ心線を融着する際の融着作業性が悪化することもない。
【００１５】
（２）上記スロットロッドはＳＺ状に形成された複数条のスロット溝を有することが好ましい。実際、ＳＺ撚ＴＳ（テープスロット）型光ケーブルのスロット溝内のテープ心線は、スロット溝の長手方向の軌跡がＳＺ方向にカーブしているため、カーブ毎にスタック状のまま左右に回転しながら収納されることになる。よって、ＳＺ撚ＴＳ型光ケーブルでは、一方向に（螺旋状に）撚られたスロット溝を有する光ケーブルに比べてスロット溝と間欠テープ心線の端心との接触（干渉）の可能性が多くなり、本発明の干渉防止効果がより有益となる。
【００１６】
［本発明の実施形態の詳細］
以下、添付図面を参照しながら、本発明に係る光ケーブルの具体例について説明する。
図１で例示する光ケーブル１は、間欠テープ心線２０を積層して収納したスロットロッド１１に、外被１４を被覆した光ケーブルである。光ケーブル１は、ＳＺ撚ＴＳ型光ケーブルであっても、一方向撚りのＴＳ型光ケーブルであってもよい。
【００１７】
さらに、図１で例示する光ケーブル１には、スロットロッド１１の周囲に縦添え又は横巻きで巻き付けた上巻テープ（押さえ巻きテープともいう）１３が設けられており、外被１４は上巻テープ１３で覆ったスロットロッド１１の外側を被覆している。この光ケーブル１は、例えばその面形状が直径５〜２５ｍｍ程度の円形となる。なお、上巻テープ１３は一般的に設けられるが、設けなくてもよい。
【００１８】
スロットロッド１１は、鋼線、鋼撚線等からなるテンションメンバ１２が中心部に埋設され、外面側にＳＺ状又は螺旋状に形成された複数条のスロット溝１１ａを有するプラスチック等の樹脂製のロッドであり、スペーサとも呼ばれる。スロット溝１１ａは、１又は複数枚の間欠テープ心線２０を積層して収納するため溝であり、図１では、５条のスロット溝１１ａを有する例を挙げている。
【００１９】
スロットロッド１１は、スロット溝１１ａを形成して他のスロット溝１１ａとの区分を行うためにスロットリブ１１ｂを有する。つまり、スロット溝１１ａは、隣り合うスロットリブ１１ｂ間の溝である。また、スロット溝１１ａの形状としては、断面矩形状のものを挙げているが、これに限ったものではなく、間欠テープ心線２０が積層できる形状であればよい。
【００２０】
なお、図示しないが、複数設けられた中で所定のスロット溝１１ａの位置を識別するために、そのスロット溝１１ａを区分している所定のスロットリブ１１ｂにＶ字状、矩形状、Ｕ字状など種々の断面形状の着色樹脂を付着させておいてもよい。
【００２１】
テープ心線２０の収納状態（収容形態）としては、スロット溝１１ａ毎に１又は複数枚が積層して収納されていればよい。特に一層につき一枚ずつ積層しておくことが効果の点で好ましく、このような例として、図１では間欠テープ心線２０が一枚ずつ５層に積層されて各スロット溝１１ａに収納されている例を挙げている。
【００２２】
その他、例えばＭ（Ｍは２以上の整数）枚ずつを積層すること、つまり一層にＮ枚の間欠テープ心線を並べ、Ｎ枚ずつ積層することもできる。その場合も、層内で隣り合う端心同士が接触することがあるため、本実施形態は有益である。
また、テープ心線２０を幅方向に折り曲げて１又は複数枚収納するようにしてもよい。特に、本実施形態ではテープ心線２０として間欠型のテープ心線を用いるため、十分に折り曲げは可能である。但し、後述する本実施形態の特徴から、スロット溝１１ａの側壁には折り曲げる前の両端側が接するように収納しておく。
【００２３】
また、上巻テープ１３は、一般に不織布をテープ状に形成したものが用いられるか、或いはＰＥＴ等の基材と不織布とを貼り合わせたもの等が用いられる。なお、スロットロッド１１の外周に図示しない粗巻き紐を巻き付けた後に上巻テープ１３を巻き付けてもよい。
外被１４は、ポリエチレン等の樹脂でなり、押出し成形で形成される。
【００２４】
次に、図２Ａ〜図２Ｄを参照しながら、間欠テープ心線２０の一例を説明する。図２Ａは、スロット溝１１ａに収納する間欠テープ心線２０の一例を示す図で、４心間欠テープ心線を幅方向に開いた状態を示す図である。また、図２Ｂ、図２Ｃ、図２Ｄはそれぞれ、図２ＡのＢ−Ｂライン、Ｃ−Ｃライン、Ｄ−Ｄラインにおける間欠テープ心線の断面図（間欠テープ心線の長手方向に垂直な断面図）である。
【００２５】
スロット溝１１ａに収納する間欠テープ心線は、３本以上の光ファイバ心線が並列に配列された間欠型の光ファイバテープ心線である。図２Ａで例示する間欠テープ心線２０は、間欠構造を持つ４本の光ファイバ心線２１からなる間欠テープ心線（つまり４心間欠テープ心線）である。すなわち、４心間欠テープ心線２０は、４本の光ファイバ心線２１が並列に配置され（つまり平行一列に配列され）、隣り合う光ファイバ心線２１の間の長手方向に連結部２２と非連結部２３が間欠的に形成されている。
【００２６】
また、光ファイバ心線２１は、ガラスファイバにファイバ被覆を施した光ファイバ素線とも呼ばれているもの、或いは、そのファイバ被覆の外面に着色層を施したものを含めた単心の光ファイバ（光ファイバ単心線）である。
【００２７】
光ファイバ心線２１は、そのガラス径が略１２５μｍ、間欠テープ心線２０におけるテープ被覆層を除く光ファイバ心線の被覆（ファイバ被覆）の外径が１９０μｍ以上２２０μｍ以下であることが好ましい。これにより、心線間のピッチを２５０μｍ程度とした間欠テープ心線２０が製造でき、光ケーブルの細径化も図れる。但し、光ファイバ心線２１の外径は２００μｍ程度に限らず、他の外径サイズを採用してもよく、例えば光ファイバ心線２１の被覆径が２５０μｍ前後であってもよい。また、心線の識別性を持たせるために着色層を施した光ファイバ心線の外径は、例えば、光ファイバ心線の被覆径を約２００μｍとすると約２０５μｍとなる。
【００２８】
そして、図２Ｂに示したように、光ファイバ心線２１の周囲には、紫外線硬化樹脂等によるテープ被覆２４が形成されている。図２Ｂ〜図２Ｄに示すように、連結部２２では、隣り合う光ファイバ心線２１のテープ被覆２４が連なっており、非連結部２３では、隣り合う光ファイバ心線２１のテープ被覆２４が連結されておらず、分離された状態となっている。なお、図２Ｂ〜図２Ｄでは、各光ファイバ心線２１の全周がテープ被覆２４で覆われた例を挙げているが、隣接する光ファイバ心線２１間が直接に接し、テープ被覆で覆われていない形態のものを採用することもできる。
【００２９】
また、テープ幅方向で見ると、連結部２２と非連結部２３とが交互に配される部分と、非連結部２３だけが配される部分とが、長手方向に所定のピッチで交互に現れるような例を挙げている。但し、連結部２２と非連結部２３の配置のパターンはこの例に限ったものではない。例えば、連結部と非連結部とは、特許文献１に記載のように長さ方向に共通に設けてもよい。また、図２Ａでは、より好ましい例として、幅方向に中央に位置する２番線と３番線との境界に対して線対称となるような間欠パターンを挙げて説明するが、これに限ったものではない。無論、連結部２２の断面形状やその連結方法は問わない。
【００３０】
そして、本実施形態の主たる特徴として、光ケーブル１は、間欠テープ心線２０の端心（スロットと干渉し易い心）のファイバ長を他に比べて短くして、スロット溝１１ａとの干渉を防ぐようにしている。
【００３１】
実際、間欠テープ心線２０は、単心部（非連結部）と接着部（連結部）があり、端心は余った単心部がスロット溝１１ａと干渉することで伝送特性が悪化する。そこで、本実施形態では、端心の光ファイバ心線の長さを他の光ファイバ心線の長さ（中心の光ファイバ心線も含む非端心の光ファイバ心線）よりも短くし、スロット溝との干渉をしないようにし、伝送特性の悪化を防いでいる。但し、光ファイバ心線の長さの差を大きくしすぎると、テープ心線同士（テープ心線に含まれる光ファイバ心線同士）を融着する際の融着作業性が悪化してしまうため、好ましくない。
【００３２】
これらの点を考慮して、本実施形態の主たる特徴として、光ケーブル１は、間欠テープ心線２０の両端に位置する光ファイバ心線２１の長さ（つまり端心ファイバ長）に比べ、他の光ファイバ心線２１（この例では中央の２本の光ファイバ心線２１）の長さを０.００５％〜０.０５％だけ長くしている。
【００３３】
このように、間欠テープ心線の両端に位置する光ファイバ心線を他の光ファイバ心線より短くすることで、間欠テープ心線の端心がスロットロッドのスロット溝の側壁と干渉しないようにでき、もって端心も他の光ファイバ心線と同様の伝送特性を確保することができる。また、光ファイバ心線の長さの差を大きくしすぎていないため、テープ心線に含まれる光ファイバ心線を融着する際の融着作業性が悪化することもない。
【００３４】
図２Ａ〜図２Ｄでは、４心間欠テープ心線（４心の間欠接着テープ）で例示しているがスロット溝１１ａに収納する間欠テープ心線の心線数Ｎは４本に限ったものではなく、３本以上であればよい。なお、テープ心線の心数Ｎとしては、一般的に偶数が採用されるが、奇数であってもよい。
【００３５】
図３Ａ〜図３Ｄを参照しながら間欠テープ心線の他の例を説明する。図３Ａは、スロット溝１１ａに収納する間欠テープ心線の他の例を示す図で、４心間欠テープ心線を幅方向に開いた状態を示す図である。また、図３Ｂ、図３Ｃ、図３Ｄはそれぞれ、図３ＡのＢ−Ｂライン、Ｃ−Ｃライン、Ｄ−Ｄラインにおける間欠テープ心線の断面図である。
【００３６】
図３Ａで例示する間欠テープ心線３０は、間欠構造を持つ８本の光ファイバ心線３１からなる間欠テープ心線（以下、８心間欠テープ心線ともいう）である。すなわち、４心間欠テープ心線３０は、８本の光ファイバ心線３１が並列に配置され、隣り合う光ファイバ心線３１の間の長手方向に連結部３２と非連結部３３が間欠的に形成されている。
【００３７】
光ファイバ心線３１は図２Ａの光ファイバ心線２１と同じであり、また図３Ｂに示したように、光ファイバ心線３１の周囲には、紫外線硬化樹脂等によるテープ被覆３４が形成されている。図２Ａ等で例示した４心間欠テープ心線２０の他の応用例については、８心間欠テープ心線３０にも同様に適用できる。
【００３８】
また、４心間欠テープ心線２０や８心間欠テープ心線３０のような間欠テープ心線については、これまで種々の形状と製造方法が提案されている。例えば、第１の方法は、隣り合う光ファイバ心線間の長手方向に所定長だけ接着性樹脂又は被覆樹脂が付与された連結部と、所定長だけ接着性樹脂又は被覆樹脂が付与されていない非連結部とを交互に形成する方法である。また、第２の方法は、複数本の光ファイバ心線の全長に紫外線硬化樹脂を塗布した後、長手方向に間欠的に紫外線（ＵＶ）照射を行い、紫外線硬化樹脂の硬化部分（連結部）と未硬化部分（非連結部）とを交互に形成する方法である。また、第３の方法は、まずテープ心線を形成し、そのテープ心線の共通被覆の長手方向にカッター刃で切り込みを形成し、連結部と非連結部とを交互に形成する方法である。
【００３９】
本実施形態で用いる間欠テープ心線の製造方法としては、上記の第１〜第３のいずれの方法を用いてもよい。但し、本実施形態では、光ファイバ心線の長さを両端と他で異ならせる必要がある。そのためには、例えば間欠テープ製造時に光ファイバ心線にかかる張力を調整することで、光ファイバ心線の長さを振り分ければよい。
【００４０】
次に、図４及び図５を参照しながら、本実施形態に係る光ケーブルの伝送特性及び機械特性の試験結果について説明し、比較のために従来の光ケーブルの伝送特性及び機械特性の試験結果について説明する。
図４は、本実施形態に係る４心間欠テープ心線が収納された光ケーブルと従来の４心間欠テープ心線が収納された光ケーブルとについて、伝送特性及び融着作業性を試験した結果を示す図である。また、図５は、図４の４心間欠テープ心線に代えて８心間欠テープ心線を採用した場合の試験結果を示す図である。
【００４１】
また、光ケーブルの伝送特性及び融着作業性の評価は、間欠テープ製造時に光ファイバ心線にかかる張力を調整することで、光ファイバ心線の長さを振り、その間欠テープ心線をスロット溝に収納して、上巻テープ及び外被を施したＳＺ撚ＴＳ型光ケーブルで実施した。図４及び図５では、いずれの特性の評価結果も、悪い場合（ＮＧの場合）に「ｐｏｏｒ」と表記し、良好である場合に「ｇｏｏｄ」と表記している。
【００４２】
また、そのようにして評価した後に光ファイバ心線の長さを測定した。より具体的には、光ファイバ心線の長さは、間欠テープ心線を１０ｍ分だけ用い、連結部の樹脂を剥がし、それぞれの光ファイバ心線に分けて、長さを比較した。なお、図４及び図５では、間欠テープ心線において、一方の端の光ファイバ心線から数えてｋ番目の光ファイバ心線（ｋ番心）を「ｋＣ」と表記する。
【００４３】
まず、図１で示したような光ケーブルにおける５つのスロット溝のそれぞれに、図２Ａで示したような４心間欠テープ心線を一枚ずつ５層に積層して収納し、１００心の光ケーブルを製造した。図４には、その光ケーブルの試験結果を示している。
【００４４】
本実施形態に係る特徴を有する４心間欠テープ心線２０として、以下の試料Ｎｏ.Ａ−１〜Ａ−５について、常温での伝送特性及び融着作業性を確認した。試料Ｎｏ.Ａ−１は、端心である１Ｃ及びもう一方の端心である４Ｃに対し、２Ｃ及び３Ｃがいずれも０.０２０％だけ長い４心間欠テープ心線を収納している。試料Ｎｏ.Ａ−２は、１Ｃ及び４Ｃに対し、２Ｃ及び３Ｃがいずれも０.０１０％だけ長い４心間欠テープ心線を収納している。
【００４５】
試料Ｎｏ.Ａ−３は、１Ｃ及び４Ｃに対し、２Ｃ、３Ｃがそれぞれ０.０４０％、０.０３０だけ長い４心間欠テープ心線を収納している。試料Ｎｏ.Ａ−４は、１Ｃ及び４Ｃに対し、２Ｃ及び３Ｃがいずれも０.０５０％だけ長い４心間欠テープ心線を収納している。試料Ｎｏ.Ａ−５は、１Ｃ及び４Ｃに対し、２Ｃ、３Ｃがそれぞれ０.００５％、０.０１０だけ長い４心間欠テープ心線を収納している。
その結果、試料Ｎｏ.Ａ−１〜Ａ−５ではいずれも伝送特性及び融着作業性が良好であった。
【００４６】
また、従来の４心間欠テープ心線として、以下の試料Ｎｏ.Ｐ−１〜Ｐ−４について、常温での伝送特性及び融着作業性を確認した。試料Ｎｏ.Ｐ−１は、１Ｃ及び４Ｃに対し、２Ｃ及び３Ｃがいずれも０.０１０％だけ短い４心間欠テープ心線を収納している。試料Ｎｏ.Ｐ−２は、１Ｃ及び４Ｃに対し、２Ｃ、３Ｃがそれぞれ０.０４０％、０.０５０％だけ短い４心間欠テープ心線を収納している。
【００４７】
試料Ｎｏ.Ｐ−３は、１Ｃ及び４Ｃに対し、２Ｃ、３Ｃがそれぞれ０.１００％、０.１１０だけ長い４心間欠テープ心線を収納している。試料Ｎｏ.Ｐ−４は、１Ｃ及び４Ｃに対し、２Ｃ、３Ｃがそれぞれ０.０８０％、０.０９５だけ短い４心間欠テープ心線を収納している。
その結果、試料Ｎｏ.Ｐ−１、Ｐ−２、Ｐ−４ではいずれも伝送特性が悪く、試料Ｎｏ.Ｐ−３、Ｐ−４ではいずれも融着作業性が悪かった。
【００４８】
次に、図１に示したような光ケーブルにおける５つのスロット溝のそれぞれに、図３Ａで示したような８心間欠テープ心線を一枚ずつ１０層に積層（合計１０枚）して収納し、４００心の光ケーブルを製造した。図５には、その光ケーブルの試験結果を示している。
【００４９】
本実施形態に係る特徴を有する８心間欠テープ心線３０として、図５に示す試料のうち試料Ｎｏ.ａ−１〜ａ−４について、常温での伝送特性及び融着作業性を確認した。試料Ｎｏ.ａ−１は、端心である１Ｃ及び８Ｃに対し、２Ｃ、３Ｃ、４Ｃ、５Ｃ、６Ｃ、７Ｃがそれぞれ０.０４０％、０.０４５％、０.０５０％、０.０３５％、０.０５０％、０.０２０％だけ長い８心間欠テープ心線を収納している。試料Ｎｏ.ａ−２は、１Ｃ及び８Ｃに対し、２Ｃ、３Ｃ、４Ｃ、５Ｃ、６Ｃ、７Ｃがそれぞれ０.０１０％、０.０２０％、０.０１５％、０.０１０％、０.０２５％、０.０１０％だけ長い８心間欠テープ心線を収納している。
【００５０】
試料Ｎｏ.ａ−３は、１Ｃ及び８Ｃに対し、２Ｃ、３Ｃ、４Ｃ、５Ｃ、６Ｃ、７Ｃがそれぞれ０.００５％、０.００５％、０.０１０％、０.０１０％、０.０１５％、０.０１５％だけ長い８心間欠テープ心線を収納している。試料Ｎｏ.ａ−４は、１Ｃ及び８Ｃに対し、２Ｃ、３Ｃ、４Ｃ、５Ｃ、６Ｃ、７Ｃがそれぞれ０.００５％、０.０４５％、０.０３５％、０.０３５％、０.０２５％、０.０３０％だけ長い８心間欠テープ心線を収納している。
その結果、試料Ｎｏ.ａ−１〜ａ−４ではいずれも伝送特性及び融着作業性が良好であった。
【００５１】
また、従来の８心間欠テープ心線として、図５に示す試料のうち以下の試料Ｎｏ.ｐ−１〜ｐ−３について、常温での伝送特性及び融着作業性を確認した。試料Ｎｏ.ｐ−１は、１Ｃ及び８Ｃに対し、２Ｃ、３Ｃ、４Ｃ、５Ｃ、６Ｃ、７Ｃがそれぞれ０.０１０％、０.０２０％、０.０１５％、０.０２５％、０.０２０％、０.０１５％だけ短い８心間欠テープ心線を収納している。試料Ｎｏ.ｐ−２は、１Ｃ及び８Ｃに対し、２Ｃ、３Ｃ、４Ｃ、５Ｃ、６Ｃ、７Ｃがそれぞれ０.０８０％、０.０９５％、０.０９０％、０.０８０％、０.１０５％、０.０８５％だけ長い８心間欠テープ心線を収納している。試料Ｎｏ.ｐ−３は、１Ｃ及び８Ｃに対し、２Ｃ、３Ｃ、４Ｃ、５Ｃ、６Ｃ、７Ｃがそれぞれ０.０８０％、０.０８０％、０.０９０％、０.０６０％、０.０７５％、０.０９０％だけ短い８心間欠テープ心線を収納している。
その結果、試料Ｎｏ.ｐ−１、ｐ−２ではいずれも伝送特性が悪く、試料Ｎｏ.ｐ−２、ｐ−３ではいずれも融着作業性が悪かった。
【００５２】
以上のことから、本実施形態のように間欠テープ心線の両端に位置する光ファイバ心線の長さに比べ、他の光ファイバ心線の長さが０.００５％〜０.０５％だけ長くなるように構成した場合には、伝送特性及び融着作業性が共に良好になることが分かる。また、ＳＺ撚ＴＳ型光ケーブルで示したが、一方向撚りのＴＳ型光ケーブルであっても同様の結果が得られた。
【００５３】
以上、今回開示された実施の形態は全ての点で例示であって制限的なものではない。本発明の範囲は、上述した例に限定されるものではなく、特許請求の範囲によって示され、特許請求の範囲と均等の意味及び範囲内での全ての変更が含まれることが意図されている。
【符号の説明】
【００５４】
１…光ケーブル、１１…スロットロッド、１１ａ…スロット溝、１１ｂ…スロットリブ、１２…テンションメンバ、１３…上巻テープ、１４…外被、２０，３０…間欠テープ心線、２１，３１…光ファイバ心線、２２，３２…連結部、２３，３３…非連結部、２４，３４…テープ被覆。
【図１】
2015018053.tif 000003
【図２Ａ】
2015018053.tif 000004
【図２Ｂ】
2015018053.tif 000005
【図２Ｃ】
2015018053.tif 000006
【図２Ｄ】
2015018053.tif 000007
【図３Ａ】
2015018053.tif 000008
【図３Ｂ】
2015018053.tif 000009
【図３Ｃ】
2015018053.tif 000010
【図３Ｄ】
2015018053.tif 000011
【図４】
2015018053.tif 000012
【図５】
2015018053.tif 000013